(57)【要約】  【課題】  腕の動きの激しい作業用ユニフォームにおいて腕の動きに確実に追随することができ、かつデザイン性も損なわない作業用ユニフォームの上衣を提供する。  【解決手段】  アームホール(４)の腋下部分を大きく形成して腋下部分に余裕を持たせた作業用ユニフォームの上衣である。アームホール(４)を腋下部分に台形状の拡張部分を有する形状に形成する。このアームホール(４)に縫合される袖布(３)を前後両身頃(１)(２)側とも、腋下対応部に短冊状突出片(５)(６)を有する形状に形成する。袖布(３)の前身頃(１)側に縫合される部分での袖山曲線と短冊状突出片(５)のアームホール側端縁とを突曲線が連続する状態に形成するとともに、袖布(３)の後ろ身頃(２)側に縫合される部分での袖山曲線と短冊状突出片(６)のアームホール側端縁とを緩やかな波型に形成し、後ろ身頃(２)側の袖付け部分を前身頃(１)部分よりもゆったり形成するように構成した。【選択図】    図１
2007039850.tif 000002
【特許請求の範囲】
【請求項１】
アームホール(４)の腋下部分を大きく形成して腋下部分に余裕を持たせた作業用ユニフォームの上衣であって、
アームホール(４)を腋下部分に台形状の拡張部分を有する形状に形成し、このアームホール(４)に縫合される袖布(３)を前後両身頃(１)(２)側とも、腋下対応部に短冊状突出片(５)(６)を有する形状に形成し、袖布(３)の前身頃(１)側に縫合される部分での袖山曲線と短冊状突出片(５)のアームホール側端縁とを突曲線が連続する状態に形成するとともに、袖布(３)の後ろ身頃(２)側に縫合される部分での袖山曲線と短冊状突出片(６)のアームホール側端縁とを緩やかな波型に形成し、後ろ身頃(２)側の袖付け部分を前身頃(１)部分よりもゆったり形成するように構成したことを特徴とする作業用ユニフォームの上衣。
【請求項２】
袖布(３)が前袖(３Ｆ)と後袖(３Ｂ)からなる二枚袖で構成されている請求項１に記載した作業用ユニフォームの上衣。
【請求項３】
肘に対応する個所にタック(７)を形成した請求項１または２に記載した作業用ユニフォームの上衣。
【発明の詳細な説明】
【技術分野】
【０００１】
本発明は、作業用ユニフォームの上衣に関し、特に、腕を前後・左右・上下のあらゆる方向に動かしても違和感を感じない運動性に優れた袖を有する作業用ユニフォームの上衣に関する。
【背景技術】
【０００２】
袖を有する衣服の場合、腕の動きを阻害しないことが求められ、特に、作業用のユニフォームでは、腕の動きを阻害しないことが、重要な要件の一つになっている。
【０００３】
従来、このような腕の動きを阻害しないようにする衣服として、前後身頃部分に形成するアームホールの形状を、腋下部分に台形状の延長部分を有する形状に形成するとともに、このアームホールに縫着される袖布の付け根下部に前記アームホールの腋下部分の形状に適合したマチ布となる延長片を形成したものが提案されている。(特許文献１)
【特許文献１】特開２００２−１６１４２０号公報
【発明の開示】
【発明が解決しようとする課題】
【０００４】
ところが、付け根下部にマチ布となる延長片を突設した袖布をアームホールに縫着した前述のものは、スーツの上着等を対象としており、腕を下げた姿勢でのデザイン性を考慮して、前見頃側での袖山部分の曲線が後身頃側での袖山部分の曲線とがほぼ対称形に形成されていることから、腕を前に出した際に背中側に張りが出ることは避けられないという問題があった。
【０００５】
本発明は、このような点に着目してなされたもので、腕の動きの激しい作業用ユニフォームにおいて腕の動きに確実に追随することができ、かつデザイン性も損なわない作業用ユニフォームの上衣を提供することを目的とする。
【課題を解決するための手段】
【０００６】
上述の目的を達成するために本発明は、腕の動きに確実に追随することができ、かつデザイン性も損なわない作業用ユニフォームの上衣を提供することを目的とし、そのために、アームホールの腋下部分を大きく形成して腋下部分に余裕を持たせた作業用ユニフォームの上衣であって、アームホールを腋下部分に台形状の拡張部分を有する形状に形成し、このアームホールに縫合される袖布を前後両身頃側とも、腋下対応部に短冊状突出片を有する形状に形成し、袖布の前身頃側に縫合される部分での袖山曲線と短冊状突出片のアームホール側端縁とを連続する凸曲線状に形成するとともに、袖布の後ろ身頃側に縫合される部分での袖山曲線と短冊状突出片のアームホール側端縁とを緩やかな波型に形成し、後ろ身頃側の袖付け部分を前身頃部分よりもゆったり形成するように構成したことを特徴としている。
【発明の効果】
【０００７】
本発明では、アームホールを腋下部分に台形状の拡張部分を有する形状に形成し、このアームホールに縫合される袖布を前後両身頃側とも、腋下対応部に短冊状突出片を有する形状に形成し、袖布の前身頃側に縫合される部分での袖山曲線と短冊状突出片のアームホール側端縁とを突曲線が連続する状態に形成するとともに、袖布の後ろ身頃側に縫合される部分での袖山曲線と短冊状突出片のアームホール側端縁とを緩やかな波型に形成し、後ろ身頃側の袖付け部分を前身頃部分よりもゆったり形成するようにしていることから、背中側での後ろ身頃に連続する腋下に対応する袖布から角状突出部分にかけての面積を広く形成することができ、袖の取り付け状態がゆとりのあるものとなり、腕の動きを阻害することがなくなる。
【発明を実施するための最良の形態】
【０００８】
図は本発明の一実施形態を示し、図１は作業用ユニフォーム上衣としての作業衣の正面図、図２は作業衣の背面図である。この作業衣は、前身頃(１)と後身頃(２)及び袖布(３)とを有している。
【０００９】
前身頃(１)は左右の身頃部分(１Ｌ)(１Ｒ)で構成されており、正面中央部で打合わせ係合するようにしてある。後身頃(２)は全体を１パーツで形成してある。袖布(３)は前身頃(１)側から袖山中心線を越えて後身頃(２)側まで延びる前袖(３Ｆ)と、後ろ身頃(２)側の下半部に対応する後袖(３Ｂ)とからなる２枚袖で構成してある。
【００１０】
前後の身頃(１)(２)には袖を取り付けるためのアームホール(４)は、腋下に対応するアームホールの下寄り部分を台形状に大きく刳った形状に形成してある。そして、前記前袖(３Ｆ)と後袖(３Ｂ)は、このアームホール(４)に直接縫合するように短冊状の突出片(５)(６)が前述のアームホール拡張部の形状に合わせて袖山基部からそれぞれ一体に連出形成してある。
【００１１】
この前袖(３Ｆ)は、図３に示すように、腋下に形成されている台形状のアームホール拡張部に対応する短冊状の突出片(５)を袖山中心線から前身頃(１)側での袖山曲線の基端部から袖布と一体に連出し、この短冊状突出片(５)のアームホール(４)への縫合部分を袖山曲線に対して不連続な状態で凸曲線が接続する状態に形成してある。
【００１２】
一方、後袖(３Ｂ)は、その腋下のアームホール拡張部に対応する短冊状の突出片(６)を袖布から一体に連出してなり、そのアームホール(４)への縫合線は前袖(３Ｆ)での袖山中心線から後身頃(２)側での袖山曲線に連続する状態の凹曲線に形成してあり、後身頃(２)側でのアームホール(４)への縫合線は全体として緩やかな波型となるように形成してある。
【００１３】
また、前袖(３Ｆ)と後袖(３Ｂ)との袖丈に沿う方向での縫合部分では、その肘に対応する部分で後袖(３Ｂ)にタック(７)を施した状態で前袖(３Ｆ)に縫合してある。
【００１４】
袖布(３)での袖山を上述のように形成すると、該袖山部分を前後身頃(１)(２)側に縫着すると、前身頃(１側では比較的腋下側の深い位置から、短冊状突出片(５)が位置することになるのに対し、後身頃(２)側では背中側の比較的高い位置から腋下に向かう緩やかな曲線で短冊状突出片(６)が位置することになり、袖付けが胸側では比較的ぴったりとするのに対して背中側ではゆったりとした、弛みのある状態となる。
【００１５】
この結果、腕を身体の前方に位置させた状態で、腕を曲げ伸ばし足り、腕を上下に動かしたりすることが予想されている作業時に背中側での袖付けに余裕があることから、腕の動きを拘束することがなくなる。一方身体の前面側(胸側)では、前袖(３Ｆ)の下より部分は腋下側に食い込んだ状態となることから、身体前面側での袖付け部分には無駄な弛みがなく、すっきりとしたデザインを維持することができる。
【００１６】
上記実施態様では、袖布(３)を、前身頃側から袖山中心線を越えて後身頃側まで延びる前袖(３Ｆ)と、後ろ身頃側の下半部に対応する後袖(３Ｂ)とからなる２枚袖で構成しているが、袖布(３)は前袖(３Ｆ)部分と後袖(３Ｂ)部分とが一体に形成されている１枚袖であってもよい。
【産業上の利用可能性】
【００１７】
本発明は、腕を前後・左右・上下のあらゆる方向に動かすことが予想されている作業用ユニフォームの上衣のほか、腕の運動性を求められる、学生服や運動用の被服での袖付けにも応用することができる。
【図面の簡単な説明】
【００１８】
【図１】本発明に係る作業用ユニフォーム上衣の正面図である。
【図２】本発明に係る作業用ユニフォーム上衣の背面図である。
【図３】袖の型紙を示す図である。
【符号の説明】
【００１９】
１…前身頃、２…後身頃、３…袖布(３Ｆ…前袖、３Ｂ…後袖)、４…アームホール、５・６…短冊状突出片、７…タック。
【図１】
2007039850.tif 000003
【図２】
2007039850.tif 000004
【図３】
2007039850.tif 000005